(57)【要約】【課題】シート分割巻取装置の最小巻取幅を一層小さくすることができる共に、巻取アームの移動機構を簡素化してコスト削減を行うとことができる巻芯支持装置を提供する。【解決手段】  第１のアクチュエータ７は、巻芯Ｃを着脱するために、巻取アームａ１・・・ａ６と機側部５と間に夫々渡し設けた連結棒６を押し引き駆動する。第２巻取アームＡ１、Ａ３毎に設けた第２のアクチュエータ１０は、分割シートの幅が最小の場合に第２巻取アームＡ１、Ａ３を巻芯着脱時の巻芯支持位置と巻取時の巻芯支持位置とにつけるために、第１のアクチュエータ７、７を取付けた可動体９を押し引き駆動する。巻取アームに取付けた結合機構８は、少なくとも第１のアクチュエータ７の作動時と第２のアクチュエータ１０の作動時に連結棒６と結合し、分割シートの幅又は供給位置の変更に伴い巻取アームの位置を変更するとき連結棒６との結合を断つ。【選択図】図２
2015147626.tif 000002
【特許請求の範囲】
【請求項１】
複数の巻芯のまわりに個々に巻取る分割シートの幅方向に平行に伸びた案内面に沿って移動可能に一列に並ぶと共に巻芯毎に一対になる複数の巻取アームを備え、前記巻取アームが個々に有する巻芯チャックを前記巻取アームと一緒に移動させて巻芯の端部に係合させることにより、前記巻芯を夫々両端支持することができるシート分割巻取装置の巻芯支持装置において、前記複数の巻取アームのうちの一対の巻取アームをを第１巻取アームとし、それ以外の一対となる巻取アームを第２巻取アームとし、前記複数の巻取アームと該複数の巻取アームの列の延長方向にある機側部と間に夫々連結棒を渡し設け、前記連結棒を押し引き駆動可能な第１のアクチュエータを前記機側部に配置し、前記連結棒と結合可能な結合機構を前記巻取アームに取付け、前記第１巻取アームに対応する第１のアクチュエータは前記機側部の固定位置に取付け、可動体と該可動体を前記巻取アームの移動方向に所定のストロークで押し引き駆動可能な第２のアクチュエータとを前記第２巻取アーム毎に前記機側部に設け、前記第２巻取アームに対応する前記第１のアクチュエータを夫々前記可動体に取付け、前記第１のアクチュエータは巻芯を着脱するために作動し、前記第２のアクチュエータは分割シートの幅が最小の場合に第２巻取アームを巻芯着脱時の巻芯支持位置と巻取時の巻芯支持位置とにつけるために作動し、前記結合機構は、少なくとも第１のアクチュエータの作動時と第２のアクチュエータの作動時に連結棒と結合し、分割シートの幅又は供給位置の変更に伴い巻取アームの位置を変更するとき、連結棒との結合を断つように作動することを特徴とするシート分割巻取装置の巻芯支持装置。
【請求項２】
複数の巻芯のまわりに個々に巻取る分割シートの幅方向に平行に伸びた案内面に沿って移動可能に一列に並ぶと共に巻芯毎に一対になる複数の巻取アームを備え、前記巻取アームが個々に有する巻芯チャックを前記巻取アームと一緒に移動させて巻芯の端部に係合させることにより、前記巻芯を夫々両端支持することができるシート分割巻取装置の巻芯支持装置において、前記複数の巻取アームのうち互いに隣り合う二つの一対の巻取アームを夫々第１巻取アームとし、それ以外の一対となる巻取アームを第２巻取アームとし、前記二つの第１巻取アームの個々の巻取アームのうちの互いに背中合わせに接近する二つの巻取アームを夫々定位置の巻取アームとし、前記第２巻取アームのうちの片側の巻取アームと前記定位置の巻取アームとを固定側の巻取アームとし、前記固定側の巻取アーム以外の巻取アームを進退側の巻取アームとし、前記複数の巻取アームと該複数の巻取アームの列の延長方向にある機側部と間に夫々連結棒を渡し設け、前記進退側の巻取アームに対応する連結棒を押し引き駆動可能な第１のアクチュエータを前記進退側の巻取アームに取付け、前記連結棒と結合可能な結合機構を前記機側部に配置し、前記固定側の巻取アームに対応する連結棒を前記巻取アームに結合し、可動体と該可動体を前記巻取アームの移動方向に所定のストロークで押し引き駆動可能な第２のアクチュエータを前記第２巻取アーム毎に前記機側部に設け、前記定位置の巻取アームに対応する前記結合機構を前記機側部の固定位置に取付け、前記進退側の巻取アームに対応する前記結合機構を前記可動体に取付け、前記第１のアクチュエータは巻芯を着脱するために作動し、前記第２のアクチュエータは分割シートの幅が最小の場合に第２巻取アームを巻芯着脱時の巻芯支持位置と巻取時の巻芯支持位置とにつけるために作動し、前記結合機構は、少なくとも第１のアクチュエータの作動時と第２のアクチュエータの作動時に連結棒と結合し、分割シートの幅又は供給位置の変更に伴い巻取アームの位置を変更するとき、連結棒との結合を断つように作動することを特徴とするシート分割巻取装置の巻芯支持装置。
【請求項３】
前記複数の巻取アームが奇数対となるときは、中央にある一対の巻取アームを前記第１巻取アームとし、前記複数の巻取アームが偶数対となるときは、中央にある二対の巻取アームの何れか一方の一対の巻取アームを前記第１巻取アームとすることを特徴とする請求項１に記載のシート分割巻取装置の巻芯支持装置。
【請求項４】
前記機側部は複数の巻取アームの列を挟むよう左右に配置し、前記第１巻取アームに対応する前記連結棒を、当該第１巻取アームから左右に振分けて前記機側部との間に渡し設け、前記第２巻取アームが前記第１巻取アームの左側にある場合は、第２巻取アームに対応する前記連結棒を前記左側の機側部と第２巻取アームとの間に渡し設け、前記第２巻取アームが前記第１巻取アームの右側にある場合は、第２巻取アームに対応する前記連結棒を前記右側の機側部と第２巻取アームとの間に渡し設けることを特徴とする請求項３に記載のシート分割巻取装置の巻芯支持装置。
【請求項５】
請求項１又は請求項２に記載のシート分割巻取装置の巻芯支持装置において、前記複数の巻取アームの全て又は一部につき該巻取アームに対応する前記第１のアクチュエータと前記結合機構とを互いに入れ替えたシート分割巻取装置の巻芯支持装置。
【発明の詳細な説明】
【技術分野】
【０００１】
本発明は、帯状のプラスチックフィルム、紙、金属箔等の広幅の帯状シートをスリッターにより複数条に分割しながら個々の巻芯のまわりに巻取るシート分割巻取装置の巻芯支持装置であって、前記シート分割巻取装置が複数条の分割シートを、該分割シートが幅方向に並ぶ順に複数の巻取位置へかわるがわる振分けた状態で一斉に巻取るものである場合に、前記巻取位置で巻芯を支持するために巻取位置毎に備えておくシート分割巻取装置の巻芯支持装置に関する。
【背景技術】
【０００２】
従来、上述のシート分割巻取装置の巻芯支持装置としては、複数の巻芯が個々に巻取る分割シートの幅方向に平行に伸びた案内面沿いに一列に並ぶと共に巻芯毎に一対になる複数の巻取アームを備え、前記巻取アームが個々に有している巻芯チャックを前記巻取アームと前記案内面沿いに移動させることで巻芯の端部に係合させることにより、該巻芯を両端支持することができるものがある。
【０００３】
一般に、シート分割巻取装置では、各巻取運転の前後に巻芯支持装置に巻芯を着脱する準備作業が必要である。また巻芯の長さは分割シート幅と同じ場合が多く、必要に応じてスリッターによる帯状シートの分割数や分割幅が変更されるので、巻芯支持装置の巻取アームの位置を案内面に沿って変えることで、その分割シート幅に応じた長さの巻芯を、それが巻取る分割シートに対応する位置に支持可能にする必要がある。
【０００４】
これらの巻取運転の前後に行われる巻芯の支持解放のための巻取アームの移動作業や、スリッターでの分割幅変更に伴う巻取アームの移動作業を省力化するために、従来の巻芯支持装置には、巻取基台に沿って前記レールに平行に伸びた一対のネジ棒と、前記一対のネジ棒を夫々正逆両方向に選択的に回転駆動することができるネジ棒回転駆動機構と、前記各一対の巻取アームのうちの片方の巻取アーム毎に夫々前記一対のネジ棒のうちの片方のネジ棒に螺合したメネジ体、並びにもう片方の巻取アーム毎に夫々もう片方のネジ棒に螺合したメネジ体と、前記巻取アーム毎に設けた、前記メネジ体を前記巻取アームに対してネジ棒長手方向に拘束するメネジ体保持部材と、前記メネジ体を対応する巻取アームに対して回転不能に拘束、解放可能なクラッチ装置と、前記一対のネジ棒を夫々長手方向にスライド可能に支持する案内支持機構と、前記巻芯を巻芯チャックに着脱するとき前記一対のネジ棒を長手方向に互いに逆向きに所定距離だけ移動させる往復駆動機構とを備えたものが提案されている（下記特許文献１参照）。
【０００５】
ところで、帯状シート製造装置で製造された広幅の帯状シートから狭幅の製品巻取ロールを得るためには、通常、複数の分割巻取工程を経て順次狭幅の分割シート巻取ロールに加工する必要がある。即ち、各分割巻取工程毎に最小巻取幅つまり巻取り可能な分割シートの最小幅が異なる複数台のシート分割巻取装置を準備し、それらを分割シートの最小幅が大きい大型のものから分割シートの最小幅の小さい小型のものへ順番に用い、前の分割巻取工程で巻上げた巻取ロールを次の分割巻取工程で巻戻しながら狭幅に分割して巻取るようにする。そして、広幅から製品にするまでの分割巻取工程を極力少なくするには、スリッターへ供給する帯状シートの幅が同じ場合、最小巻取幅が極力小さい方が有利であるため、シート分割巻取装置においては最小巻取幅を極力小さくすることが求められている。
【０００６】
図１０はシート分割巻取装置の巻取部の一例を示し、図１０（Ａ）は、５条の分割シートを上下に並ぶ二つの巻取位置Ｐ１、Ｐ２に交互に振分けて、従来の巻芯支持装置ＣＳ１、ＣＳ２に装着した巻芯Ｃのまわりに巻取って巻取ロールＲ１〜Ｒ５を完成させた状態を示す。下側の巻取位置Ｐ２において、隣り合う各一対の巻取アームａ２１、ａ２２及びａ２３、ａ２４間に支持された巻芯Ｃ上には巻取ロールＲ２、Ｒ４が形成され、上側の巻取位置Ｐ１において中央の一対の巻取アームａ１３、ａ１４間に支持された巻芯Ｃには巻取ロールＲ３が形成されるので、下側の巻取位置Ｐ２の隣り合う各一対の巻取アームの個々の巻取アームａ２１、ａ２２、ａ２３、ａ２４うち内側の背中合わせになる二つの巻取アームａ２２、ａ２３は、もう一方の巻取位置Ｐ１へ振分けられる分割シートの幅（巻取ロールＲ３の幅ｗ）に相当する幅の空間に配置することができなければならない。したがって、複数の分割シートを二つの巻取位置に交互に振分けて巻取る場合、分割シートの最小幅は、隣り合う各一対の巻取アームの個々の巻取アームうちの互いに背中合わせになる二つの巻取アームが占有する空間の幅によって左右される。
【０００７】
ところが、上述の従来の巻芯支持装置では、各一対の巻取アームは、巻芯チャックへの巻芯着脱時に、巻取時の巻芯支持位置を中心に互いに接近離反する。図１０（Ｂ）は各巻芯支持装置ＣＳ１、ＣＳ２が巻芯Ｃを解放した状態を示し、例えば下側の巻芯支持装置ＣＳ２において、各一対の巻取アームａ２１、ａ２２、及びａ２３、ａ２４は、図１０（Ａ）に示す巻取時の巻芯支持位置（分割シートが巻取られているときに、その巻芯を支持している各一対の巻取アームの位置）から、図１０（Ｂ）に示す、巻芯チャックの挿入部の長さより僅かに長い距離ａだけ後退した巻芯解放位置に移動する。そのため、背中合わせになる二つ巻取アームが占有する空間は、それらの巻取アーム自体の占有幅だけでなく、巻芯着脱時に巻取時の巻芯支持位置から巻芯解放位置に移動するための空間を余分に必要とする。そして、このことが分割シートの最小幅の狭幅化を図る上で障害となっている。
【０００８】
また、上述の一対のネジ棒、その回転駆動機構、メネジ体、クラッチ装置等を含む巻取アーム移動機構を備えた巻芯支持装置では、巻取アーム移動機構を制御装置で制御することにより、スリッターでの分割幅変更に伴う巻取アームの移動作業の自動化や、各巻芯の一斉着脱による巻芯装着作業や巻取ロール搬出作業の省力化、時間短縮を図ることができるが、各巻取アームの位置検出装置を必要とする等、巻取アームの位置決め制御装置が複雑で高価なものになり、シート分割巻取装置の設備コストを増大させる原因になっている。特に、小型のシート分割巻取装置には、巻取アームの重量が小さく移動時の抵抗が小さいため作業者が手動で巻取アームを比較的容易に短時間で案内面沿いに移動させることことができ、また、巻取アーム数が少なくスリッターでの分割幅変更に伴う巻取アーム移動作業の頻度が少ないものもある。このような場合には、全体的な費用対効果の観点から巻取アーム移動作業の省力化の価値が低減するので、省力化の価値に比べて構造の複雑さや設備コストの方が問題視されることとなり、より安価で簡素なシート分割巻取装置を提供するよう要望される場合が多い。更に、複数の巻取アームを一斉に移動させる場合、各クラッチ装置に作動指令信号を与えてから実際に作動するまでの時間のばらつきや、ネジ棒とメネジ体との間のバックラッシュ等に起因して、一対となる巻取アームを確実に同期させて連動させることが困難である。そのため、巻取ロールを支持した状態で一対の巻取アームをレール沿いに別の位置へ移動すると、円滑に移動しなかったり、レールの案内面のカジリや磨耗を促進させたり、巻芯端部や巻芯チャック等が破損したりする原因となる。
【先行技術文献】
【特許文献】
【０００９】
【特許文献１】特開２００４−１４２８７９号公報
【発明の概要】
【発明が解決しようとする課題】
【００１０】
本発明は、前述のような問題点に鑑み、シート分割巻取装置の最小巻取幅を一層小さくすることができる共に、巻取アームの移動機構を簡素化してコスト削減を行うとことができる巻芯支持装置を提供することを課題としている。
【課題を解決するための手段】
【００１１】
そこで、本発明は、複数の巻芯のまわりに個々に巻取る分割シートの幅方向に平行に伸びた案内面に沿って移動可能に一列に並ぶと共に巻芯毎に一対になる複数の巻取アームを備え、前記巻取アームが個々に有する巻芯チャックを前記巻取アームと一緒に移動させて巻芯の端部に係合させることにより、前記巻芯を夫々両端支持することができるシート分割巻取装置の巻芯支持装置において、前記複数の巻取アームのうちの一対の巻取アームをを第１巻取アームとし、それ以外の一対となる巻取アームを第２巻取アームとし、前記複数の巻取アームと該複数の巻取アームの列の延長方向にある機側部と間に夫々連結棒を渡し設け、前記連結棒を押し引き駆動可能な第１のアクチュエータを前記機側部に配置し、前記連結棒と結合可能な結合機構を前記巻取アームに取付け、前記第１巻取アームに対応する第１のアクチュエータは前記機側部の固定位置に取付け、可動体と該可動体を前記巻取アームの移動方向に所定のストロークで押し引き駆動可能な第２のアクチュエータとを前記第２巻取アーム毎に前記機側部に設け、前記第２巻取アームに対応する前記第１のアクチュエータを夫々前記可動体に取付け、前記第１のアクチュエータは巻芯を着脱するために作動し、前記第２のアクチュエータは分割シートの幅が最小の場合に第２巻取アームを巻芯着脱時の巻芯支持位置と巻取時の巻芯支持位置とにつけるために作動し、前記結合機構は、少なくとも第１のアクチュエータの作動時及び第２のアクチュエータの作動時に連結棒と結合し、分割シートの幅又は供給位置の変更に伴い巻取アームの位置を変更するとき、連結棒との結合を断つように作動することを特徴とするシート分割巻取装置の巻芯支持装置。
【発明の効果】
【００１２】
本発明によれば、分割シートの幅が最小である場合、一対となる巻取アームを、各々の連結棒並びに結合機構、及び可動体で連結された第１のアクチュエータを通じて第２のアクチュエータにより所定のストロークで押し引き駆動することによって、一対の巻取アームは巻芯着脱時の巻芯支持位置と巻取時の巻芯支持位置とに移動することができ、巻取時の巻芯支持位置を中心として巻芯着脱スペースを設けなくても、巻芯着脱時の巻芯支持位置を中心として一対となる巻取アームを互いに接近離反させて巻芯を支持解放することができるので、分割シートの最小幅を従来に比べて一層小さくすることができる。しかも、一対の巻取アームの個々の巻取アーム同士を互いに確実に同期させて短時間で移動させることができ、重量の大きい巻取ロールを支持していても一対の巻取アームを巻取時の巻芯支持位置から巻芯着脱時の巻芯支持位置に支障なく移動させることができる。そしてスリッターでの帯状シートの分割仕様の変更に応じて巻取アームの位置を変えるとき、結合機構による結合を解放することにより、各巻取アームを夫々案内面沿いに自由に移動可能にすることができるので、作業者が手動で各巻取アームを比較的容易に短時間で所要位置に移動することができる。更に、第２のアクチュエータは、複雑で高価な巻取アーム用の位置検出装置や位置決め制御装置を必要としないため、構造が簡素で安価で故障の少ない巻芯支持装置を得ることができる。したがって、次の分割巻取工程において更に小型のシート分割巻取装置による処理を減らすことができ、場合によっては次の分割巻取工程を不要にすることができるようになり、巻取ロール製造ライン全体として巻取ロールの生産性の向上を図ることができると共に、巻芯支持装置の簡素化とコスト削減を図ることができる。
【図面の簡単な説明】
【００１３】
【図１】図１はシート分割巻取装置の巻取部の概略正面図である。
【図２】図２は本発明の一実施例に係る巻芯支持装置の下面図である。
【図３】図３は図１のＡ−Ａ矢視断面図である。
【図４】図４は結合機構の結合棒沿いの断面図である。
【図５】図５は、分割シートが最小幅である場合に巻取アームが巻芯着脱時の巻芯支持位置に配置された状態を示す巻芯支持装置の下面図である。
【図６】図６は、分割シートが最小幅である場合に巻取アームが巻取時の巻芯支持位置に配置された状態を示す巻芯支持装置の下面図である。
【図７】図７は、分割シートの幅が大きい場合の巻取アームの配置の一例を示す巻芯支持装置の下面図である。
【図８】図８は本発明の他の実施例の説明図である。
【図９】図９は本発明の更に他の実施例の説明図である。
【図１０】図１０は従来の巻芯着脱動作を説明するための説明図である。
【発明を実施するための形態】
【００１４】
図１に示すシート分割巻取装置は、図示しないスリッターにより複数条に分割された分割シートを、該分割シート幅方向に並ぶ順に交互に巻取位置Ｐ１、Ｐ２へ振分けた状態で個々の巻芯Ｃのまわりに一斉に巻取って巻取ロールＲを形成するものであり、上下に並ぶ巻取位置Ｐ１、Ｐ２には、夫々巻芯Ｃを支持するための巻芯支持装置ＣＳ１、ＣＳ２が設けてある。この巻芯支持装置ＣＳ１、ＣＳ２は、複数の巻芯Ｃのまわりに個々に巻取る分割シートの幅方向に平行に伸びた案内面１に沿って移動可能に一列に並ぶと共に巻芯毎に一対になる複数の巻取アーム２を備え、巻取アーム２が個々に有する巻芯チャック３を巻取アーム２と一緒に移動させて巻芯Ｃの端部に係合させることにより、複数の巻芯Ｃを夫々両端支持することができるものである。巻芯Ｃを回転駆動するために一対の巻取アーム２、２のうちの片方には巻芯Ｃを中心駆動するための巻取モータ４が装着してあり、巻芯チャック３に回転駆動力を伝達できるようになっている。巻芯チャックＣは、巻芯Ｃの端面に当接する鍔部と巻芯Ｃの端部の穴に嵌める挿入部とからなる公知のものであり、巻取アーム２に対して中心軸線方向に拘束されている。また巻取モータ４側の巻芯チャックＣは巻芯Ｃの内周面を締付ることができるようにしてある。この実施例の場合、上側の巻芯支持装置ＣＳ１は巻取アーム２を３対備え、下側の巻芯支持装置ＣＳ２は巻取アーム２を２対備えている。上下の巻芯支持装置ＣＳ１、ＣＳ２は、互いに支持可能な巻芯Ｃの個数が異なるため巻取アーム２の個数は異なるが、巻芯Ｃの着脱時や分割シート幅又は供給位置の変更時に巻取アームを移動する機構については基本的に同様な構成で同様な動作をするので、以下、上側の巻芯支持装置ＣＳ１について詳しく説明する。
【００１５】
図２に示すように、巻芯支持装置ＣＳ１では、複数の巻取アームａ１・・・ａ６のうちの一対の巻取アームＡ２（ａ３、ａ４）を第１巻取アームとし、それ以外の一対となる巻取アームＡ、１Ａ３を第２巻取アームとしており、複数の巻取アームａ１・・・ａ６と該複数の巻取アームの列の延長方向にある機側部５と間に夫々連結棒６を渡し設け、連結棒６を押し引き駆動可能な第１のアクチュエータ７を機側部５に配置し、連結棒６と結合可能な結合機構８を巻取アームａ１・・・ａ６に取付け、第１巻取アームＡ２に対応する第１のアクチュエータ７を機側部５の固定位置に取付け、可動体９と該可動体９を巻取アームａ１・・・ａ６の移動方向に所定のストロークで押し引き駆動可能な第２のアクチュエータ１０とを第２巻取アームＡ１、Ａ３毎に機側部５に設け、第２巻取アームＡ１、Ａ３に対応する各々二つの第１のアクチュエータ７を夫々可動体９に取付けている。そして第１のアクチュエータ７は巻芯Ｃを着脱するために作動し、第２のアクチュエータ１０は分割シートの幅が最小の場合に第２巻取アームＡ１、Ａ３を巻芯着脱時の巻芯支持位置と巻取時の巻芯支持位置とにつけるために作動し、結合機構８は、少なくとも第１のアクチュエータ７の作動時と第２のアクチュエータ１０の作動時に連結棒６と結合し、分割シートの幅又は供給位置の変更に伴い巻取アームの位置を変更するとき、連結棒６との結合を断つように作動することとしている。
【００１６】
第２のアクチュエータ１０による駆動のストロークを極力短く抑えるために、３対の巻取アームＡ１、Ａ２、Ａ３のうちの中央にある一対の巻取アームＡ２を第１巻取アームとしている。また案内面１沿いの限られた空間に極力多数の第１のアクチュエータ７を設けるために、機側部５は複数の巻取アームａ１・・・ａ６の列を挟むよう左右に配置し、第１巻取アームＡ２に対応する連結棒６を、当該第１巻取アームＡ２から左右に振分けて機側部５との間に渡し設け、第２巻取アームＡ１、Ａ３が第１巻取アームＡ２の左側にある場合は、第２巻取アームＡ１に対応する連結棒６を左側の機側部５と第２巻取アームＡ１との間に渡し設け、第２巻取アームＡ３が第１巻取アームＡ１の右側にある場合は、第２巻取アームＡ３に対応する連結棒６を右側の機側部５と第２巻取アームＡ３との間に渡し設けている。
【００１７】
図１に示すように、左右のフレーム１１、１１間には基台１２が固設されている。機側部５は、この実施例ではフレーム１１の外側に固設したブラケット１３からなり、ブラケット１３にはレール１４が固着してあり、可動体９は、レール１４にスライド可能に装着してある。第１のアクチュエータ７及び第２のアクチュエータ１０は、夫々案内面と平行な軸線方向に進退する出力軸を有する。この実施例では第１のアクチュエータ７は、流体圧シリンダ装置であり、そのシリンダ部を可動体９上の固定位置に取付け、そのピストンロッド先端を連結棒６に結合している。第２のアクチュエータ１０も流体圧シリンダ装置であり、そのシリンダ部をブラケット１３上の固定位置に取付け、そのピストンロッド先端を可動体９に結合している。第１のアクチュエータ７の駆動ストロークは、巻芯チャック３の挿入部の長さより僅かに長くしてあり、第２のアクチュエータ１０の駆動ストロークは、対応する一対の巻取アームの巻芯着脱時の支持位置と巻取時の支持位置との距離に等しくしてある。
【００１８】
図３に示すように基台１２にはレール１５が固設してあり、レール１５の頭部に巻取アーム２の基部がスライド可能に装着してある。この実施例では巻取アーム２を案内する案内面１は、レール１５の頭部に形成された案内面からなる。
【００１９】
図４に示すように結合機構８は、連結棒６がスライド可能に貫通する保持体１６と、締付片１７を連結棒６の外周面に押付けることができる流体圧シリンダ装置１８とからなり、保持体１６と流体圧シリンダ装置１８のシリンダ部は巻取アーム２の基部に固着してある。流体圧シリンダ装置１８により締付片１７を連結棒８に押付けると連結棒６の外周面が保持体１６と締付片とによって締付けられて結合機構８と連結棒６が結合し、第１のアクチュエータ７の駆動力を連結棒６と結合機構８を通じて巻取アーム２に伝達することができる状態になる。流体圧シリンダ装置１８による締付片１７の連結棒８への押付けを止めると、連結棒８と結合機構８との結合は断たれ、第１のアクチュエータ７の駆動力を巻取アーム２に伝達することができない状態になる。
【００２０】
次に、上述のように構成した巻芯支持装置の巻芯支持解放動作について説明する。分割シートの幅が最小である場合に巻芯Ｃを分割シートの供給位置に対応するように支持するには、先ず、図２に示すように、巻取アームａ１・・・ａ６を夫々巻芯着脱時の巻芯解放位置につけ、その後、各一対の巻取アームＡ１、Ａ２、Ａ３毎に左右の巻芯チャック３、３の間に二点鎖線で示すように最小幅用の巻芯Ｃを仮に支持する。この巻芯Ｃの仮の支持は、例えば実公平５−２２５２２号公報に開示されるような、図示しない公知の巻芯受によって行うことができる。
【００２１】
次いで、結合機構８と連結棒６とが結合した状態で、巻取アームａ１・・・ａ６に対応する第１のアクチュエータ７を、巻取アームａ１とａ２，ａ３とａ４、ａ５とａ６が互いに接近する方向に夫々一斉に作動させ、巻取アームａ１・・・ａ６を、図５に示すように巻芯着脱時の巻芯支持位置につける。それによって各一対の巻芯チャック３に夫々巻芯Ｃが装着される。
【００２２】
次いで、結合機構８と連結棒６とが結合した状態で、第２巻取アームＡ１、Ａ３が、第１巻取アームＡ２に近付く方向に移動するよう第２のアクチュエータ１０を作動させる。それによって、図６に示すように第２巻取アームＡ１、Ａ３が巻取時の巻芯支持位置につく。
【００２３】
分割シートの幅が最小である場合に巻取ロールを形成した巻芯Ｃを解放するには、第２巻取アームＡ１、Ａ３が、第１巻取アームＡ２から離れるように第２のアクチュエータ１０を作動させる。それによって、第２巻取アームＡ１、Ａ３が図５に示す巻芯着脱時の巻芯支持位置につく。その後、各巻取アームａ１・・・ａ６の第１のアクチュエータ７を巻芯Ｃを支持する場合とは逆方向に一斉に作動させる。それによって、各巻取アームａ１・・・ａ６は、図２に示す巻芯着脱時の巻芯解放位置につき、巻芯Ｃが巻芯チャック３、３から離脱し、巻取ロールＲが解放される。このとき各巻芯Ｃを確実に巻芯チャック３、３から離脱させるために、例えば実公平５−２２５２２号公報に開示されるような、図示しない公知の押止め部材を設けておくとよい。また巻芯Ｃを解放する前に各巻取ロールを、図示しない公知の巻取ロール搬出装置の受取部によって下から支えておくとよい。
【００２４】
図７は、分割シートの幅が大きい場合の巻取アームの配置の一例を示し、この例では中央及びその左側の一対の巻取アームＡ１、Ａ２は夫々休止しており、右側の一対の巻取アームＡ３を巻芯Ｃの支持に使用する。巻取アームａ１・・・ａ６を図６に示す位置から図７に示す位置へ移動させて巻取アームａ１・・・ａ６の配置を変更するには、結合機構８による連結棒９の締付けを止めた後、作業者が手動で巻取アームａ１・・・ａ６の移動を行う。そして分割シートの幅が最小でない場合に巻芯Ｃを支持解放するには、第２のアクチュエータ１０は作動させずに、巻取アーム５ａ、ａ６に対応する結合機構８と連結棒６とを結合させ、巻取アーム５ａ、ａ６とそれに対応する第１のアクチュエータ７とが連結棒６と結合機構８とを通じて結合した状態にして、巻取アーム５ａ、ａ６に対応する第１のアクチュエータ７のみ作動させて、一対となる巻取アーム５ａとａ６を、互いに巻取時の巻芯支持位置を中心に接近離反させる。
【００２５】
図８は本発明の他の実施例を示し、図８（Ａ）は、分割シートが最小幅である場合に、巻取アームを巻芯着脱時の巻芯解放位置につけた状態を示し、図８（Ｂ）は同じく巻取アームを巻取時の巻芯支持位置につけた状態を示す。この実施例では、巻芯支持装置は、４個の巻芯Ｃを支持することができるよう４対の巻取アームＡ１、Ａ２、Ａ３、Ａ４を備えており、中央にある２対の巻取アームＡ２、Ａ３のうちの右側の一対の巻取アームＡ３を第１巻取アームとしており、最も左にある一対の巻取アームＡ１の巻芯着脱時の巻芯支持位置と巻取時の巻芯支持位置との距離が、左から２番目及び最も右にある一対の巻取アームＡ２、Ａ４の巻芯着脱時の巻芯支持位置と巻取時の巻芯支持位置との距離より長いため、最も左にある一対の巻取アームＡ１に対応する第２のアクチュエータ１０は、左から２番目及び最も右にある一対の巻取アームＡ２、Ａ４に対応する第２のアクチュエータ１０より、その長い分だけ、大きいストロークで可動体９を押し引き駆動することができるようにしてある。
【００２６】
図９は本発明の更に他の実施例を示す。この実施例では、第１のアクチュエータ７及び第２のアクチュエータ１０の数を少なくし構成の更なる簡素化を図るために、巻芯支持装置ＣＳ１において複数の巻取アームＡ１、Ａ２、Ａ３のうち互いに隣り合う二つの一対の巻取アームＡ２、Ａ３を夫々第１巻取アームとし、それ以外の一対となる巻取アームＡ１を第２巻取アームとし、第１巻取アームＡ２、Ａ３の個々の巻取アームａ３、ａ４、ａ５、ａ６のうちの互いに背中合わせに接近する二つの巻取アームａ４、ａ５を夫々定位置の巻取アームとし、第２巻取アームＡ１のうちの片側の巻取アームａ２と定位置の巻取アームａ４、ａ５とを固定側の巻取アームとし、固定側の巻取アーム以外の巻取アームａ１、ａ３、ａ６を進退側の巻取アームとし、複数の巻取アームａ１・・・ａ６と該複数の巻取アームａの列の延長方向にある機側部５と間に夫々連結棒６を渡し設け、進退側の巻取アームａ１、ａ３、ａ６に対応する連結棒６を押し引き駆動可能な第１のアクチュエータ７を進退側の巻取アームａ１、ａ３、ａ６に取付け、連結棒６と結合可能な結合機構８を機側部５に配置し、固定側の巻取アームａ２、ａ４、ａ５に対応する連結棒６を公知の結合手段で固定側の巻取アームａ２、ａ４、ａ５に結合し、可動体９と該可動体９を巻取アームの移動方向に所定のストロークで押し引き駆動可能な第２のアクチュエータ１０とを第２巻取アームＡ１に対応するよう機側部５に設け、定位置の巻取アームａ４、ａ５に対応する結合機構８を機側部５の固定位置に取付け、第２巻取アームＡ１の進退側の巻取アームａ２に対応する結合機構８を可動体９に取付け、第１のアクチュエータ７は巻芯Ｃを着脱するために作動し、第２のアクチュエータ１０は分割シートの幅が最小の場合に第２巻取アームを巻芯着脱時の巻芯支持位置と巻取時の巻芯支持位置とにつけるために作動し、結合機構９は、少なくとも第１のアクチュエータ７の作動時及び第２のアクチュエータ１０の作動時に連結棒８と結合し、分割シートの幅又は供給位置の変更に伴い巻取アームの位置を変更するとき、連結棒８との結合を断つように作動することとしている。この実施例の場合、第１のアクチュエータ７が押し引き駆動するストロークは、図２に示す第１のアクチュエータ７が押し引き駆動するストロークの２倍の大きさとなっている。
【００２７】
この巻芯支持装置において、分割シートの幅が最小である場合に、巻芯Ｃを巻芯チャック３に装着するには、巻取アームａ１・・・ａ６が図９（Ａ）に示すように巻芯着脱時の巻芯解放位置にあるとき、各一対の巻取アームＡ１、Ａ２、Ａ３の巻芯チャック３，３の間に巻芯Ｃを仮保持し、その後、巻取アームａ１・・・ａ６を図９（Ｂ）に示す巻芯着脱時の巻芯支持位置につける。そのためには、結合機構８と連結棒６とが結合した状態で、第１のアクチュエータ７を進退側の巻取アームａ１、ａ３、ａ６が固定側の巻取アームａ２、ａ４、ａ５に接近する方向に作動させる。
【００２８】
巻芯着脱時の巻芯支持位置において装着した巻芯Ｃを分割シートに対応する位置につけるには、結合機構８と連結棒６とが結合した状態で、第２のアクチュエータ１０を作動させて第２巻取アームＡ１を図９（Ｃ）に示すように巻取時の巻芯支持位置に移動させる。
【００２９】
巻取完了後に巻取ロールを解放するには、結合機構８の作動により連結棒６と機側部５とが結合した状態で、第２のアクチュエータ１０を逆方向に作動させて第２巻取アームＡ１、Ａ３を図９（Ｂ）に示すように巻芯着脱時の巻芯支持位置に移動させる。その後、第１のアクチュエータ７を逆方向に作動させて進退側の巻取アームａ１、ａ３、ａ６を固定側の巻取アームａ２、ａ４、ａ５から離反させて図９（Ａ）に示すように巻芯着脱時の巻芯解放位置に移動させる。
【００３０】
分割シートの幅又は供給位置の変更に伴う巻取アームａ１・・・ａ６の位置変更時には、結合機構８により連結棒６との結合を断つ。それによって巻取アームａ１・・・ａ６を案内面１に沿って必要な位置に手動で移動することができる。
【００３１】
なお、本発明によれば、巻芯支持装置が備える巻取アームの数は上述の実施例に限らず、支持する巻芯の数に応じて５対以上又は２対であってもよい。また巻芯支持装置が備える複数の巻取アームの全て又は一部につき、その巻取アームに対応する第１のアクチュエータと結合機構とを互いに入れ替えてもよい。即ち、例えば図２に示す巻芯支持装置において、第１のアクチュエータ７を機側部５に配置する代わりに巻取アームａ１・・・ａ６に取付け、結合機構８を巻取アームａ１・・・ａ６に取付ける代わりに機側部５に配置し、第１巻取アームＡ２に対応する第１のアクチュエータ７を機側部５の固定位置に取付ける代わりに第１巻取アームＡ２に対応する結合機構８を機側部５の固定位置に取付け、第２巻取アームＡ１、Ａ３に対応する二つの第１のアクチュエータ７を夫々可動体９に取付ける代わりに、第２巻取アームＡ１、Ａ３に対応する二つの結合機構８を夫々可動体９に取付けるようにしてもよいし、図９に示す巻芯支持装置において、第１のアクチュエータ７を進退側の巻取アームａ１、ａ３、ａ６に取付ける代わりに機側部５に配置し、進退側の巻取アームａ１、ａ３、ａ６に対応する結合機構８を機側部５に配置する代わりに進退側の巻取アームａ１、ａ３、ａ６に取付け、第２巻取アームＡ１のうちの進退側の巻取アームａ１に対応する結合機構８を可動体９に取付ける代わりに、第２巻取アームＡ１のうちの進退側の巻取アームａ１に対応する第１のアクチュエータ７を可動体９に取付けるようにすることもできる。また第１のアクチュエータ及び第２のアクチュエータは、巻取アームが巻取時の巻芯支持位置にあるとき駆動を持続するものでもよいし、巻取アームがそれ自体を案内面に対して固定するクランプ装置を備える場合には駆動を持続しないものでもよい。また図１に示す二つの巻芯支持装置はフレームで結合されているが、本発明の巻芯支持装置は、シート分割巻取装置において上下又は前後等に分離して配置され場合もあり得る。
【符号の説明】
【００３２】
Ｃ  巻芯
１  案内面
２  巻取アーム
３  巻芯チャック
４  巻取モータ
５  機側部
６  連結棒
７  第１のアクチュエータ
８  結合機構
９  可動体
１０  第２のアクチュエータ
ａ１、ａ２、ａ３、ａ４、ａ５、ａ６  巻取アーム
Ａ１、Ａ２、Ａ３  一対の巻取アーム
ＣＳ１、ＣＳ２  巻芯支持装置
Ｐ１、Ｐ２  巻取位置      
【図１】
2015147626.tif 000003
【図２】
2015147626.tif 000004
【図３】
2015147626.tif 000005
【図４】
2015147626.tif 000006
【図５】
2015147626.tif 000007
【図６】
2015147626.tif 000008
【図７】
2015147626.tif 000009
【図８】
2015147626.tif 000010
【図９】
2015147626.tif 000011
【図１０】
2015147626.tif 000012
【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
複数の巻芯のまわりに個々に巻取る分割シートの幅方向に平行に伸びた案内面に沿って移動可能に一列に並ぶと共に巻芯毎に一対になる複数の巻取アームを備え、前記巻取アームが個々に有する巻芯チャックを前記巻取アームと一緒に移動させて巻芯の端部に係合させることにより、前記巻芯を夫々両端支持することができるシート分割巻取装置の巻芯支持装置において、前記複数の巻取アームのうちの一対の巻取アームを第１巻取アームとし、それ以外の一対となる巻取アームを第２巻取アームとし、前記複数の巻取アームと該複数の巻取アームの列の延長方向にある機側部との間に夫々連結棒を渡し設け、前記連結棒を押し引き駆動可能な第１のアクチュエータを前記機側部に配置し、前記連結棒と結合可能な結合機構を前記巻取アームに取付け、前記第１巻取アームに対応する第１のアクチュエータは前記機側部の固定位置に取付け、可動体と該可動体を前記巻取アームの移動方向に所定のストロークで押し引き駆動可能な第２のアクチュエータとを前記第２巻取アーム毎に前記機側部に設け、前記第２巻取アームに対応する前記第１のアクチュエータを夫々前記可動体に取付け、前記第１のアクチュエータは巻芯を着脱するために作動し、前記第２のアクチュエータは分割シートの幅が最小の場合に第２巻取アームを巻芯着脱時の巻芯支持位置と巻取時の巻芯支持位置とにつけるために作動し、前記結合機構は、少なくとも第１のアクチュエータの作動時と第２のアクチュエータの作動時に連結棒と結合し、分割シートの幅又は供給位置の変更に伴い巻取アームの位置を変更するとき、連結棒との結合を断つように作動することを特徴とするシート分割巻取装置の巻芯支持装置。
【請求項２】
複数の巻芯のまわりに個々に巻取る分割シートの幅方向に平行に伸びた案内面に沿って移動可能に一列に並ぶと共に巻芯毎に一対になる複数の巻取アームを備え、前記巻取アームが個々に有する巻芯チャックを前記巻取アームと一緒に移動させて巻芯の端部に係合させることにより、前記巻芯を夫々両端支持することができるシート分割巻取装置の巻芯支持装置において、前記複数の巻取アームのうち互いに隣り合う二つの一対の巻取アームを夫々第１巻取アームとし、それ以外の一対となる巻取アームを第２巻取アームとし、前記二つの第１巻取アームの個々の巻取アームのうちの互いに背中合わせに接近する二つの巻取アームを夫々定位置の巻取アームとし、前記第２巻取アームのうちの片側の巻取アームと前記定位置の巻取アームとを固定側の巻取アームとし、前記固定側の巻取アーム以外の巻取アームを進退側の巻取アームとし、前記複数の巻取アームと該複数の巻取アームの列の延長方向にある機側部との間に夫々連結棒を渡し設け、前記進退側の巻取アームに対応する連結棒を押し引き駆動可能な第１のアクチュエータを前記進退側の巻取アームに取付け、前記連結棒と結合可能な結合機構を前記機側部に配置し、前記固定側の巻取アームに対応する連結棒を前記巻取アームに結合し、可動体と該可動体を前記巻取アームの移動方向に所定のストロークで押し引き駆動可能な第２のアクチュエータを前記第２巻取アーム毎に前記機側部に設け、前記定位置の巻取アームに対応する前記結合機構を前記機側部の固定位置に取付け、前記進退側の巻取アームに対応する前記結合機構を前記可動体に取付け、前記第１のアクチュエータは巻芯を着脱するために作動し、前記第２のアクチュエータは分割シートの幅が最小の場合に第２巻取アームを巻芯着脱時の巻芯支持位置と巻取時の巻芯支持位置とにつけるために作動し、前記結合機構は、少なくとも第１のアクチュエータの作動時と第２のアクチュエータの作動時に連結棒と結合し、分割シートの幅又は供給位置の変更に伴い巻取アームの位置を変更するとき、連結棒との結合を断つように作動することを特徴とするシート分割巻取装置の巻芯支持装置。
【請求項３】
前記複数の巻取アームが奇数対となるときは、中央にある一対の巻取アームを前記第１巻取アームとし、前記複数の巻取アームが偶数対となるときは、中央にある二対の巻取アームの何れか一方の一対の巻取アームを前記第１巻取アームとすることを特徴とする請求項１に記載のシート分割巻取装置の巻芯支持装置。
【請求項４】
前記機側部は複数の巻取アームの列を挟むよう左右に配置し、前記第１巻取アームに対応する前記連結棒を、当該第１巻取アームから左右に振分けて前記機側部との間に渡し設け、前記第２巻取アームが前記第１巻取アームの左側にある場合は、第２巻取アームに対応する前記連結棒を前記左側の機側部と第２巻取アームとの間に渡し設け、前記第２巻取アームが前記第１巻取アームの右側にある場合は、第２巻取アームに対応する前記連結棒を前記右側の機側部と第２巻取アームとの間に渡し設けることを特徴とする請求項３に記載のシート分割巻取装置の巻芯支持装置。
【請求項５】
請求項１又は請求項２に記載のシート分割巻取装置の巻芯支持装置において、前記複数の巻取アームの全て又は一部につき該巻取アームに対応する前記第１のアクチュエータと前記結合機構とを互いに入れ替えたシート分割巻取装置の巻芯支持装置。
【手続補正２】
【補正対象書類名】明細書
【補正対象項目名】００１１
【補正方法】変更
【補正の内容】
【００１１】
そこで、本発明は、複数の巻芯のまわりに個々に巻取る分割シートの幅方向に平行に伸びた案内面に沿って移動可能に一列に並ぶと共に巻芯毎に一対になる複数の巻取アームを備え、前記巻取アームが個々に有する巻芯チャックを前記巻取アームと一緒に移動させて巻芯の端部に係合させることにより、前記巻芯を夫々両端支持することができるシート分割巻取装置の巻芯支持装置において、前記複数の巻取アームのうちの一対の巻取アームを第１巻取アームとし、それ以外の一対となる巻取アームを第２巻取アームとし、前記複数の巻取アームと該複数の巻取アームの列の延長方向にある機側部との間に夫々連結棒を渡し設け、前記連結棒を押し引き駆動可能な第１のアクチュエータを前記機側部に配置し、前記連結棒と結合可能な結合機構を前記巻取アームに取付け、前記第１巻取アームに対応する第１のアクチュエータは前記機側部の固定位置に取付け、可動体と該可動体を前記巻取アームの移動方向に所定のストロークで押し引き駆動可能な第２のアクチュエータとを前記第２巻取アーム毎に前記機側部に設け、前記第２巻取アームに対応する前記第１のアクチュエータを夫々前記可動体に取付け、前記第１のアクチュエータは巻芯を着脱するために作動し、前記第２のアクチュエータは分割シートの幅が最小の場合に第２巻取アームを巻芯着脱時の巻芯支持位置と巻取時の巻芯支持位置とにつけるために作動し、前記結合機構は、少なくとも第１のアクチュエータの作動時及び第２のアクチュエータの作動時に連結棒と結合し、分割シートの幅又は供給位置の変更に伴い巻取アームの位置を変更するとき、連結棒との結合を断つように作動することを特徴とする。
【手続補正３】
【補正対象書類名】明細書
【補正対象項目名】００１５
【補正方法】変更
【補正の内容】
【００１５】
図２に示すように、巻芯支持装置ＣＳ１では、複数の巻取アームａ１・・・ａ６のうちの一対の巻取アームＡ２（ａ３、ａ４）を第１巻取アームとし、それ以外の一対となる巻取アームＡ、１Ａ３を第２巻取アームとしており、複数の巻取アームａ１・・・ａ６と該複数の巻取アームの列の延長方向にある機側部５との間に夫々連結棒６を渡し設け、連結棒６を押し引き駆動可能な第１のアクチュエータ７を機側部５に配置し、連結棒６と結合可能な結合機構８を巻取アームａ１・・・ａ６に取付け、第１巻取アームＡ２に対応する第１のアクチュエータ７を機側部５の固定位置に取付け、可動体９と該可動体９を巻取アームａ１・・・ａ６の移動方向に所定のストロークで押し引き駆動可能な第２のアクチュエータ１０とを第２巻取アームＡ１、Ａ３毎に機側部５に設け、第２巻取アームＡ１、Ａ３に対応する各々二つの第１のアクチュエータ７を夫々可動体９に取付けている。そして第１のアクチュエータ７は巻芯Ｃを着脱するために作動し、第２のアクチュエータ１０は分割シートの幅が最小の場合に第２巻取アームＡ１、Ａ３を巻芯着脱時の巻芯支持位置と巻取時の巻芯支持位置とにつけるために作動し、結合機構８は、少なくとも第１のアクチュエータ７の作動時と第２のアクチュエータ１０の作動時に連結棒６と結合し、分割シートの幅又は供給位置の変更に伴い巻取アームの位置を変更するとき、連結棒６との結合を断つように作動することとしている。
【手続補正４】
【補正対象書類名】明細書
【補正対象項目名】００２６
【補正方法】変更
【補正の内容】
【００２６】
図９は本発明の更に他の実施例を示す。この実施例では、第１のアクチュエータ７及び第２のアクチュエータ１０の数を少なくし構成の更なる簡素化を図るために、巻芯支持装置ＣＳ１において複数の巻取アームＡ１、Ａ２、Ａ３のうち互いに隣り合う二つの一対の巻取アームＡ２、Ａ３を夫々第１巻取アームとし、それ以外の一対となる巻取アームＡ１を第２巻取アームとし、第１巻取アームＡ２、Ａ３の個々の巻取アームａ３、ａ４、ａ５、ａ６のうちの互いに背中合わせに接近する二つの巻取アームａ４、ａ５を夫々定位置の巻取アームとし、第２巻取アームＡ１のうちの片側の巻取アームａ２と定位置の巻取アームａ４、ａ５とを固定側の巻取アームとし、固定側の巻取アーム以外の巻取アームａ１、ａ３、ａ６を進退側の巻取アームとし、複数の巻取アームａ１・・・ａ６と該複数の巻取アームａの列の延長方向にある機側部５との間に夫々連結棒６を渡し設け、進退側の巻取アームａ１、ａ３、ａ６に対応する連結棒６を押し引き駆動可能な第１のアクチュエータ７を進退側の巻取アームａ１、ａ３、ａ６に取付け、連結棒６と結合可能な結合機構８を機側部５に配置し、固定側の巻取アームａ２、ａ４、ａ５に対応する連結棒６を公知の結合手段で固定側の巻取アームａ２、ａ４、ａ５に結合し、可動体９と該可動体９を巻取アームの移動方向に所定のストロークで押し引き駆動可能な第２のアクチュエータ１０とを第２巻取アームＡ１に対応するよう機側部５に設け、定位置の巻取アームａ４、ａ５に対応する結合機構８を機側部５の固定位置に取付け、第２巻取アームＡ１の進退側の巻取アームａ２に対応する結合機構８を可動体９に取付け、第１のアクチュエータ７は巻芯Ｃを着脱するために作動し、第２のアクチュエータ１０は分割シートの幅が最小の場合に第２巻取アームを巻芯着脱時の巻芯支持位置と巻取時の巻芯支持位置とにつけるために作動し、結合機構９は、少なくとも第１のアクチュエータ７の作動時及び第２のアクチュエータ１０の作動時に連結棒８と結合し、分割シートの幅又は供給位置の変更に伴い巻取アームの位置を変更するとき、連結棒８との結合を断つように作動することとしている。この実施例の場合、第１のアクチュエータ７が押し引き駆動するストロークは、図２に示す第１のアクチュエータ７が押し引き駆動するストロークの２倍の大きさとなっている。